(57)【要約】【課題】デジタルＴＶ信号とアナログＴＶ信号とを受信でき、しかもデジタルＴＶ信号を受信する場合にアンテナ切替による同期はずれを防止し、アナログＴＶ信号を受信する場合にゴーストの発生を防止し、さらに、回路の一部を供用して構成を簡素化したダイバーシティ受信装置を提供する。【解決手段】加算手段５に入力される第一中間周波信号同士の位相を相対的に制御する位相制御手段１２を設け、アナログＴＶ信号の受信時には加算手段５に入力される第一中間周波信号にそれぞれ含まれる遅延波同士の位相をほぼ逆相とし、デジタルＴＶ信号の受信時には加算手段５に入力される第一中間周波信号の互いの位相をほぼ同相とした。【選択図】        図１
2004208071.tif 000002
【特許請求の範囲】
【請求項１】
複数のアンテナで受信した放送信号をそれぞれ第一中間周波信号に変換する第一ミキサと、一対毎の第一中間周波信号同士を加算する加算手段と、加算された第一中間周波信号に含まれるアナログＴＶ信号を受信するアナログ受信部と、加算された第一中間周波信号に含まれるデジタルＴＶ信号を受信するデジタル受信部とを備え、前記加算手段に入力される第一中間周波信号同士の位相を相対的に制御する位相制御手段を設け、前記アナログＴＶ信号の受信時には前記加算手段に入力される第一中間周波信号にそれぞれ含まれる遅延波同士の位相をほぼ逆相とし、前記デジタルＴＶ信号の受信時には前記加算手段に入力される第一中間周波信号の互いの位相をほぼ同相としたことを特徴とするダイバーシティ受信装置。
【請求項２】
前記アナログ受信部には前記アナログＴＶ信号のマルチパスを検出してマルチパス検出信号を出力するマルチパス検出手段を設け、前記デジタル受信部は加算された第一中間周波信号を第二中間周波信号に変換する第二ミキサと、第二中間周波信号を復調するＯＦＤＭ復調手段とを有し、前記位相制御手段は前記各第一ミキサに供給される局発振信号同士の相対的な位相を変える第一の移相手段と、前記マルチパス検出信号と前記第二中間周波信号とが入力され、前記マルチパス検出信号が所定の閾値以下のとき又は前記第二中間周波信号がピークレベル以下の時に移相信号を発生する第一の移相信号発生手段とからなり、前記移相信号を前記第一の移相手段に入力したことを特徴とする請求項１に記載のダイバーシティ受信装置。
【請求項３】
前記アンテナの数を２としたことを特徴とする請求項１又は２に記載のダイバーシティ受信装置。
【請求項４】
前記アンテナの数を４とし、前記加算手段は一対毎の前記第一ミキサから出力される前記第一中間周波信号をそれぞれ加算する二つの第一の加算手段と、前記二つの第一の加算手段から出力される第一中間周波信号を加算する第二の加算手段とからなり、前記第二の加算手段から出力される第一中間周波信号を前記アナログ受信部と前記デジタル受信部とに入力したことを特徴とする請求項２に記載のダイバーシティ受信装置。
【請求項５】
前記アンテナの数を４とし、前記加算手段は一対毎の前記第一ミキサから出力される前記第一中間周波信号をそれぞれ加算する二つの第一の加算手段と、前記二つの第一の加算手段から出力される第一中間周波信号を加算する第二の加算手段とからなり、前記第二の加算手段から出力される第一中間周波信号を前記アナログ受信部に入力し、前記二つの第一の加算手段の後段にそれぞれ前記デジタル受信部を設け、前記デジタル受信部の各ＯＦＤＭ復調手段から出力されるベースバンド信号を合成したことを特徴とする請求項２に記載のダイバーシティ受信装置。
【請求項６】
前記二つのＯＦＤＭ復調手段から出力されるベースバンド信号同士の位相を比較して移相信号を出力する第二の移相信号発生手段と、前記二つのベースバンド信号同士を加算する第三の加算手段と、一方の前記ＯＦＤＭ復調手段と前記第三の加算手段との間に介挿された第二の移相手段とを設け、前記第二の移相信号発生手段から出力された前記移相信号を前記第二の移相手段に入力したことを特徴とする請求項５に記載のダイバーシティ受信装置。
【発明の詳細な説明】
【０００１】
【発明の属する技術分野】
この発明は、テレビジョン信号等を受信するダイバーシティ受信装置に関し、特に車載用として好適なダイバーシティ受信装置に関する。
【０００２】
【従来の技術】
図７は例えばアナログＴＶ信号等を受信する従来のダイバーシティ受信装置の構成を示し、複数の受信アンテナ５７と、アンテナ切替部５５と、受信機５６と、受信状態検知回路５３と、切替制御回路５４と、受信機５６から得られる電界強度信号の電界強度を検出する電界強度検出回路５１と、電界強度検出回路５１からの出力信号に基づいて切替閾値を制御する閾値制御回路５２とを有している。
【０００３】
そして、電界強度検出回路５１は、受信機５６から得られる電界強度信号に応じて電界強度を検出して、電界強度信号を閾値制御回路５２に供給する。閾値制御回路５２は、電界強度検出信号に基づいて切替閾値を設定して、閾値設定信号を切替切替制御回路５４の一方の入力に供給する。閾値制御回路５２は、受信電界強度が弱くなるにつれて連続的に切替閾値を上昇させる。
【０００４】
また、受信状態検出回路５３は受信状態を検知して受信状態検知信号を切替制御回路５４の他方の入力に供給する。
切替制御回路５４は、閾値設定信号及び受信状態検知信号に基づいて切替制御信号を生成し、切替制御信号をアンテナ切替部５５に供給する。アンテナ切替部５５は切替制御信号に応じて複数の受信アンテナ５７から択一する（例えば、特許文献１。）。
【０００５】
【特許文献１】
特開平０７−１７０２２０号公報（図１）
【０００６】
一方、図８はデジタルＴＶ信号を受信する従来のダイバーシティ受信装置を示し、複数のアンテナ６１のいずれかがアンテナ切替部６２によって選択され、選択されたアンテナからのデジタルＴＶ信号はチューナ６３で同調をとる。その出力はＩＦ部６４を介して同期再生部６５に送られて、その出力はＯＦＤＭデコーダ６６に加えられる。ＯＦＤＭデコーダ６６の復調出力はＭＰＥＧデコーダ６７に加えられて、これにより得られたビデオ信号で表示部６８に画像が表示される。
【０００７】
ここで、ＯＦＤＭデコーダ６６及びＭＰＥＧデコーダ６７から出力されるエラー率（ＢＥＲ）を制御部６９に入力する。そして、出力されたエラー率が、受信した映像の劣化が始まる時のエラー率（閾値）より大きくなったとき、受信状態が悪化したと判断し、制御部６９はダイバー動作を開始してアンテナ６１の切替を行うためのダイバー制御信号を発生し、この信号をアンテナ切替部６２に与えて、アンテナ６１の切り替えを行うようになっている。
【０００８】
そして、アンテナ切替については、ＯＦＤＭ信号の有効シンボル内でアンテナ切替をすると、データの欠落を招き、再生条件が悪化するので、有効シンボル間に設けられているガードインターバルの受信中で切り替えるようにしている（例えば、特許文献２参照。）。
【０００９】
【特許文献２】
特開２００２−３３６８８号公報（図１）
【００１０】
【発明が解決しようとする課題】
上記図７の構成では、受信するのに最適なアンテナを選択できるが、アンテナで直接波と反射波とが受信された場合は互いの位相関係によって画面にゴーストが現れる。
また、図８の構成では、アンテナの切替はガードインターバルの期間で行っているが、ガードインターバルには、自己相関を検出するために有効シンボル内の一部の信号と同じ信号を挿入しているので、アンテナ切替時にガードインターバル内の信号が乱され、自己相関が検出不可能となるおそれがある。その結果、復調時にデジタル信号の同期がとれず受信障害を招くという問題が発生する。
【００１１】
本発明は、デジタルＴＶ信号とアナログＴＶ信号とを受信でき、しかもデジタルＴＶ信号を受信する場合にアンテナ切替による同期はずれを防止し、アナログＴＶ信号を受信する場合にゴーストの発生を防止し、さらに、回路の一部を供用して構成を簡素化したダイバーシティ受信装置を提供することを目的とする。
【００１２】
【課題を解決するための手段】
上記課題に対して、本発明は、複数のアンテナで受信した放送信号をそれぞれ第一中間周波信号に変換する第一ミキサと、一対毎の第一中間周波信号同士を加算する加算手段と、加算された第一中間周波信号に含まれるアナログＴＶ信号を受信するアナログ受信部と、加算された第一中間周波信号に含まれるデジタルＴＶ信号を受信するデジタル受信部とを備え、前記加算手段に入力される第一中間周波信号同士の位相を相対的に制御する位相制御手段を設け、前記アナログＴＶ信号の受信時には前記加算手段に入力される第一中間周波信号にそれぞれ含まれる遅延波同士の位相をほぼ逆相とし、前記デジタルＴＶ信号の受信時には前記加算手段に入力される第一中間周波信号の互いの位相をほぼ同相とした。
【００１３】
また、前記アナログ受信部には前記アナログＴＶ信号のマルチパスを検出してマルチパス検出信号を出力するマルチパス検出手段を設け、前記デジタル受信部は加算された第一中間周波信号を第二中間周波信号に変換する第二ミキサと、第二中間周波信号を復調するＯＦＤＭ復調手段とを有し、前記位相制御手段は前記各第一ミキサに供給される局発振信号同士の相対的な位相を変える第一の移相手段と、前記マルチパス検出信号と前記第二中間周波信号とが入力され、前記マルチパス検出信号が所定の閾値以下のとき又は前記第二中間周波信号がピークレベル以下の時に移相信号を発生する第一の移相信号発生手段とからなり、前記移相信号を前記第一の移相手段に入力した。
【００１４】
また、前記アンテナの数を２とした。
【００１５】
また、前記アンテナの数を４とし、前記加算手段は一対毎の前記第一ミキサから出力される前記第一中間周波信号をそれぞれ加算する二つの第一の加算手段と、前記二つの第一の加算手段から出力される第一中間周波信号を加算する第二の加算手段とからなり、前記第二の加算手段から出力される第一中間周波信号を前記アナログ受信部と前記デジタル受信部とに入力した。
【００１６】
また、前記アンテナの数を４とし、前記加算手段は一対毎の前記第一ミキサから出力される前記第一中間周波信号をそれぞれ加算する二つの第一の加算手段と、前記二つの第一の加算手段から出力される第一中間周波信号を加算する第二の加算手段とからなり、前記第二の加算手段から出力される第一中間周波信号を前記アナログ受信部に入力し、前記二つの第一の加算手段の後段にそれぞれ前記デジタル受信部を設け、前記デジタル受信部の各ＯＦＤＭ復調手段から出力されるベースバンド信号を合成した。
【００１７】
また、前記二つのＯＦＤＭ復調手段から出力されるベースバンド信号同士の位相を比較して移相信号を出力する第二の移相信号発生手段と、前記二つのベースバンド信号同士を加算する第三の加算手段と、一方の前記ＯＦＤＭ復調手段と前記第三の加算手段との間に介挿された第二の移相手段とを設け、前記第二の移相信号発生手段から出力された前記移相信号を前記第二の移相手段に入力した。
【００１８】
【発明の実施の形態】
以下、本発明のダイバーシティ受信装置を図面に従って説明する。図１は第一の実施形態の構成を示す回路図、図２はそれに使用される移相信号発生手段の回路図、図３は第二の実施形態の構成を示す回路図、図４はそれに使用される移相信号発生手段の回路図、図５は第三の実施形態の構成を示す回路図、図６はそれに使用される移相信号発生手段の回路図である。
【００１９】
先ず、図１において、複数のアンテナ１（この実施形態では２個）で受信した放送信号（アナログＴＶ信号及びデジタルＴＶ信号）はそれぞれ二つの第一ミキサ２（２ａと２ｂ）によって第一中間周波信号に変換される。二つの第一ミキサ２ａ、２ｂには発振器３から局部発振信号が供給されるが、一方の第一ミキサ２ａには第一の移相手段４を介して供給される。
【００２０】
二つの第一ミキサ２ａ、２ｂから出力される第一中間周波信号は第一の加算手段５によって加算される。加算された第一中間周波信号はアナログ受信部６とデジタル受信部７とに入力される。アナログ受信部６は音声／映像復調手段（図示せず）、マルチパス検出手段６ａ等を有し、第一中間周波信号におけるアナログＴＶ信号を復調して音声信号Ａ及び映像信号Ｖを出力すると共にマルチパス検出信号Ｍを出力する。マルチパス検出信号ＭはアナログＴＶ信号における直接波と反射波（遅延波ともいう）との相対レベル比として出力される。レベル差が少ないほどマルチパス検出信号のレベルが大きくなる。そして、マルチパス検出信号Ｍは第一の移相信号発生手段８に入力される。この第一の移相信号発生手段８と第一の移相手段４とによって位相制御手段１２が構成されている。
【００２１】
一方、デジタル受信部７は入力された第一中間周波信号を第二中間周波信号に変換する第二ミキサ９と、第二中間周波信号を復調するＯＦＤＭ復調手段１０と復調によって得られたデジタルのベースバンド信号のビットエラーを訂正する誤り訂正手段１１を有し、第二ミキサ９には別の発振器（図示せず）から局部発振信号が供給される。また、ＯＦＤＭ復調手段１０はデジタルＴＶ信号のスペクトラム歪みを検出してその検出信号を出力する。そして、第二中間周波信号ＩＦ２（デジタルＴＶ信号）とスペクトラム歪み信号Ｓとが第一の移相信号発生手段８に入力される。
【００２２】
第一の移相信号発生手段８は図２に示すように、マルチパス検出信号Ｍが入力されるマルチパス判定手段８ａと、第二中間周波信号ＩＦ２が入力される電力判定手段８ｂと、スペクトラム歪み信号Ｓが入力される歪み判定手段８ｃと、移相信号出力手段８ｄとを有する。
なお、マルチパス検出信号ＭはアナログＴＶ信号の受信時に入力され、第二中間周波信号ＩＦ２とスペクトラム歪み信号ＳとはデジタルＴＶ信号の受信時に入力される。
【００２３】
マルチパス判定手段８ａは、マルチパス検出信号Ｍが所定の閾値以上のときには移相信号出力手段８ｄに対して制御信号を出力し、電力判定手段８ｂは第二中間周波信号ＩＦ２がピーク値以下のときには移相信号出力手段８ｄに対して制御信号を出力し、また、歪み判定手段８ｃはスペクトラム歪みが所定レベル以上のときに移相信号出力手段８ｄに対して制御信号を出力する。そして、移相信号出力手段８ｄはマルチパス判定手段８ａ、電力判定手段８ｂ、歪み判定手段８ｃのいずれかから制御信号が入力されている間は移相信号Φを出力する。
そして、移相信号出力手段８ｄから出力された移相信号Φは第一の移相手段４に入力され、その結果、一方の第一ミキサ２ａから出力される第一中間周波信号の位相が変えられる。
【００２４】
そして、アナログＴＶ信号の受信時には一方の第一ミキサ２ａから出力される第一中間周波信号に含まれる遅延波の位相が他方の第一ミキサ２ｂから出力される第一中間周波信号に含まれる遅延波の位相とは逆相となるように制御されて第一の加算手段５では遅延波同士はキャンセルされる。すなわち、マルチパス検出信号Ｍのレベルが閾値以下になるまで、一方の第一ミキサ２ａに供給される局部発振信号の位相、従って第一ミキサ２ａから出力される第一中間周波信号の位相が制御されて、その結果として一方の第一ミキサ２ａから出力される第一中間周波信号に含まれる遅延波の位相が他方の第一ミキサ２ｂから出力される第一中間周波信号に含まれる遅延波の位相とはほぼ逆相となる。よって、アナログ受信部６ではマルチパス検出信号Ｍのレベルが下がり映像信号Ｖにはゴーストが発生しない。
【００２５】
また、デジタルＴＶ信号の受信時では、第二中間周波信号ＩＦ２の電力がピークとなるよう一方の第一ミキサ２ａから出力される第一中間周波信号の位相が制御される。よって、第二中間周波信号ＩＦ２はピークとなるように制御され、同期はずれが無くＳ／Ｎの向上したデジタルＴＶ信号の可能となる。また、第二中間周波信号におけるスペクトラム歪みも軽減される。
【００２６】
図３においては、４個のアンテナ１で受信した放送信号（アナログＴＶ信号及びデジタルＴＶ信号）はそれぞれ４個の第一ミキサ２（２ａ〜２ｄ）によって第一中間周波信号に変換される。各第一ミキサ２には発振器３から局部発振信号が供給されるが、このうちの３個の第一ミキサ２ａ〜２ｃにはそれぞれ第一の移相手段４ａ〜４ｃを介して供給される。
【００２７】
四個のミキサ２ａ〜２ｄのうちの一方の対の第一ミキサ２ａ、２ｂから出力される第一中間周波信号は一方の第一の加算手段５ａよって加算され、他方の対の第一ミキサ２ｃ、２ｄから出力される第一中間周波信号は他方の第一の加算手段５ｂよって加算される。加算されたそれぞれの第一中間周波信号は更に第２の加算手段１３によって加算される。第二の加算手段１３から出力された第一中間周波信号はアナログ受信部６と、デジタル受信部７とに入力される。そして、マルチパス検出手段６ａから出力されたマルチパス検出信号Ｍと第二ミキサ９から出力された第二中間周波信号ＩＦ２とＯＦＤＭ復調手段１０から出力されたスペクトラム歪み信号Ｓとが第一の移相信号発生手段１４に入力される。第一の移相信号発生手段１４と第一の移相手段４ａ〜４ｃとによって位相制御手段１５が構成されている。
【００２８】
第一の移相信号発生手段１４は図４に示すように、マルチパス検出信号Ｍが入力されるマルチパス判定手段１４ａと、第二中間周波信号ＩＦ２が入力される電力判定手段１４ｂと、スペクトラム歪み検出信号Ｓが入力される歪み判定手段１４ｃと、移相信号出力手段１４ｅとを有する。そして、マルチパス判定手段１４ａ、電力判定手段１４ｂ、歪み判定手段１４ｃから移相信号出力手段１４ｅに制御信号が入力されることは図２と同じである。ただし、移相信号出力手段１４ｅは三つの出力端を有し、各出力端から順次に移相信号Φ１〜Φ３が出力され、それらは第一の移相手段４ａ〜４ｃに順次入力される。その結果、三つの第一ミキサ２ａ〜２ｃから出力される第一中間周波信号の位相が残りの第一ミキサ２ｄから出力される第一中間周波信号の位相を基準として順次変えられる。
【００２９】
そして、アナログＴＶ信号の受信時には一方の対の第一ミキサ２ａ、２ｂからそれぞれ出力される第一中間周波信号に含まれる遅延波同士の移相が互いにほぼ逆相となるように制御され、同様に他方の対の第一ミキサ２ｃ、２ｄからそれぞれ出力される第一中間周波信号に含まれる遅延波同士の移相が互いにほぼ逆相となるように制御され、さらに、二つの第一の加算手段５ａ、５ｂからそれぞれ出力される第一中間周波信号に含まれる遅延波同士の移相が互いにほぼ逆相となるように制御される。よって、第二の加算手段１３では遅延波同士はキャンセルされ、アナログ受信部６ではマルチパス検出信号のレベルが下がり映像信号Ｖにはゴーストが発生しない。
【００３０】
また、デジタルＴＶ信号の受信時では、同様に一方の対の第一ミキサ２ａ、２ｂからそれぞれ出力される第一中間周波信号の位相がほぼ同相となると共に、他方の対の第一ミキサ２ｃ、２ｄからそれぞれ出力される第一中間周波信号の位相がほぼ同相となり、さらに、一方の第一の加算手段５ａから出力される第一中間周波信号の位相と他方の第一の加算手段５ｂから出力される第一中間周波信号の位相とがほぼ同相となるように制御される。よって、第二中間周波信号ＩＦ２の電力がピークとなる。さらに、スペクトラム歪みも軽減される。
【００３１】
図５においては、４個のアンテナ１で受信した放送信号（アナログＴＶ信号及びデジタルＴＶ信号）はそれぞれ４個の第一ミキサ２（２ａ〜２ｄ）によって第一中間周波信号に変換される。各第一ミキサ２には発振器３から局部発振信号が供給されるが、３個の第一ミキサ２ａ〜２ｃにはそれぞれ第一の移相手段４ａ〜４ｃを介して供給される。
【００３２】
一方の対の第一ミキサ２ａ、２ｂからそれぞれ出力される第一中間周波信号は一方の第一の加算手段５ａよって加算され、他方の対の第一ミキサ２ｃ、２ｄからそれぞれ出力される第一中間周波信号は他方の第一の加算手段５ｂよって加算される。加算されたそれぞれの第一中間周波信号は更に第２の加算手段１３によって加算される。第二の加算手段１３から出力された第一中間周波信号はアナログ受信部６に入力される。
【００３３】
また、一方の第一の加算手段５ａから出力された第一中間周波信号と他方の第一の加算手段５ｂから出力された第一中間周波信号とはデジタル受信部７に入力される。デジタル受信部７は二つの第二ミキサ９ａ、９ｂと二つのＯＦＤＭ復調手段１０ａ、１０ｂと、各復調手段１０ａ、１０ｂから出力されるベースバンド信号の周波数軸の位相を比較してその位相差信号を出力する第二の移相信号発生手段１６と、他方のＯＦＤＭ復調手段１０ｂからのベースバンド信号の位相を変える第二の移相手段１７と、ベースバンド信号を加算する第三の加算手段１７等を有する。そして、一方の加算手段５ａから出力された第一中間周波信号は一方の第二ミキサ９ａに入力され、他方の加算手段５ｂから出力された第一中間周波信号は他方の第二ミキサ９ｂに入力される。二つの第二ミキサ９ａ、９ｂには別の発振器（図示せず）から局部発振信号が供給されている。
【００３４】
ここで、アナログ受信部６のマルチパス検出手段６ａから出力されるマルチパス検出信号Ｍと、二つの第二ミキサ９ａ、９ｂから出力される第二中間周波信号ＩＦ２と二つのＯＦＤＭ復調手段１０ａ。１０ｂから出力されるスペクトラム歪み信号Ｓとが第一の移相信号発生手段１９に入力される。第一の移相信号発生手段１９と第一の移相手段４ａから４ｃとによって位相制御手段２０が構成される。
【００３５】
第一の移相信号発生手段１９は図６に示すように、マルチパス検出信号Ｍが入力されるマルチパス判定手段１９ａと、二つの第二中間周波信号ＩＦ２が入力される電力判定手段１９ｂ１、１９ｂ２と、スペクトラム歪み検出信号Ｓが入力される歪み判定手段１９ｃ１、１９ｃ２と、移相信号出力手段１９ｆとを有する。電力判定手段１９ｂ１及び１９ｂ２と、歪み判定手段１９ｃ１及び１９ｃ２は図２に示すものと同一構成である。そして、マルチパス判定手段１９ａ、二つの電力判定手段１９ｂ１、１９ｂ２、二つの歪み判定手段１９ｃ１、１９ｃ２からそれぞれ移相信号出力手段１９ｆに制御信号が入力される。
【００３６】
移相信号出力手段１９ｆは三つの出力端を有し、各出力端から移相信号Φ１〜Φ３が順次出力され、それがそれぞれ第一の移相手段４ａ〜４ｃに順次入力される。その結果、三つの第一ミキサ２ａ〜２ｃから出力される第一中間周波信号の位相が残りの第一ミキサ２ｄから出力される第一中間周波信号の位相を基準として順次変えられる。
【００３７】
そして、アナログＴＶ信号の受信時には一方の対の第一ミキサ２ａ、２ｂからそれぞれ出力される第一中間周波信号に含まれる遅延波同士の移相が互いにほぼ逆相となるように制御され、同様に他方の対の第一ミキサ２ｃ、２ｄからそれぞれ出力される第一中間周波信号に含まれる遅延波同士の移相が互いにほぼ逆相となるように制御され、さらに、二つの第一の加算手段５ａ、５ｂからそれぞれ出力される第一中間周波信号に含まれる遅延波同士の移相が互いにほぼ逆相となるように制御される。よって、第二の加算手段１３では遅延波同士はキャンセルされ、アナログ受信部６ではマルチパス検出信号のレベルが下がり映像信号Ｖにはゴーストが発生しない。
【００３８】
また、デジタルＴＶ信号の受信時では、同様に第一ミキサ２ａ〜２ｃからそれぞれ出力される第一中間周波信号の位相が制御されて、一方の第二ミキサ９ａから出力される第二中間周波信号ＩＦ２の電力と他方の第二ミキサ９ｂから出力される第二中間周波信号ＩＦ２の電力とがそれぞれピークとなるように制御される。さらに、スペクトラム歪みも軽減するように制御される。
【００３９】
そして、第二の移相信号発生手段１６からの移相信号によって第二の移相手段１７が制御され、第三の加算手段１８に入力される二つのベースバンド信号の周波数軸の位相が一致する。これによって、第三の加算手段１８からはビットエラーの少ないベースバンド信号が出力されるが、ビットエラーが有れば誤り訂正手段１１によって訂正される。
【００４０】
【発明の効果】
以上のように、本発明は、加算手段に入力される第一中間周波信号同士の位相を相対的に制御する位相制御手段を設け、アナログＴＶ信号の受信時には加算手段に入力される第一中間周波信号にそれぞれ含まれる遅延波同士の位相をほぼ逆相とし、デジタルＴＶ信号の受信時には加算手段に入力される第一中間周波信号の互いの位相をほぼ同相としたので、ゴーストのないアナログＴＶ信号が受信できると共に同期はずれがなくしかもＳ／Ｎの向上したアナログＴＶ信号が受信できるダイバーシティ受信装置を簡単な構成で実現できる。
【００４１】
また、位相制御手段は各第一ミキサに供給される局発振信号同士の相対的な位相を変える第一の移相手段と、マルチパス検出信号と第二中間周波信号とが入力され、マルチパス検出信号が所定の閾値以下のとき又は第二中間周波信号がピークレベル以下の時に移相信号を発生する第一の移相信号発生手段とからなり、移相信号を第一の移相手段に入力したので、アナログＴＶ信号の受信時には第一の加算手段に入力される一対の第一中間周波信号にそれぞれ含まれる遅延波同士の位相をほぼ逆相とし、デジタルＴＶ信号の受信時には一対の第一中間周波信号の互いの位相をほぼ同相とすることができる。
【００４２】
また、アンテナの数を２としたので、最も簡単なダイバーシティ受信装置を構成できる。
【００４３】
また、アンテナの数を４とし、加算手段は一対毎の第一ミキサから出力される第一中間周波信号をそれぞれ加算する二つの第一の加算手段と、二つの第一の加算手段から出力される第一中間周波信号を加算する第二の加算手段とからなり、第二の加算手段から出力される第一中間周波信号をアナログ受信部とデジタル受信部とに入力したので、アナログＴＶ信号の受信時とデジタルＴＶ信号の受信時共にＳ／Ｎを大幅に向上できる。また、デジタル受信部が１系統で構成できる。
【００４４】
また、アンテナの数を４とし、加算手段は一対毎の第一ミキサから出力される第一中間周波信号をそれぞれ加算する二つの第一の加算手段と、二つの第一の加算手段から出力される第一中間周波信号を加算する第二の加算手段とからなり、第二の加算手段から出力される第一中間周波信号をアナログ受信部に入力し、二つの第一の加算手段の後段にそれぞれデジタル受信部を設け、デジタル受信部の各ＯＦＤＭ復調手段から出力されるベースバンド信号を合成したので、復調されるベースバンド信号のＳ／Ｎが一層改善される。
【００４５】
また、二つのＯＦＤＭ復調手段から出力されるベースバンド信号同士の位相を比較して移相信号を出力する第二の移相信号発生手段と、二つのベースバンド信号同士を加算する第三の加算手段と、一方のＯＦＤＭ復調手段と第三の加算手段との間に介挿された第二の移相手段とを設け、第二の移相信号発生手段から出力された移相信号を第二の移相手段に入力したので、第三の加算手段に入力されるベースバンド信号の周波数軸の位相を同相とすることができてビットエラーを少なくできる。
【図面の簡単な説明】
【図１】本発明のダイバーシティ受信装置の第一の実施形態の構成を示す回路図である。
【図２】本発明の第一の実施形態に使用される第一の移相信号発生手段の回路図である。
【図３】本発明のダイバーシティ受信装置の第二の実施形態の構成を示す回路図である。
【図４】本発明の第二の実施形態に使用される第一の移相信号発生手段の回路図である。
【図５】本発明のダイバーシティ受信装置の第三の実施形態の構成を示す回路図である。
【図６】本発明の第三の実施形態に使用される第一の移相信号発生手段の回路図である。
【図７】従来のダイバーシティ受信装置の構成を示す回路図である。
【図８】従来のダイバーシティ受信装置の他の構成を示す回路図である。
【符号の説明】
１  アンテナ
２、２ａ、２ｂ、２ｃ、２ｄ  第一ミキサ
３  発振器
４、４ａ、４ｂ、４ｃ  第一の移相手段
５、５ａ、５ｂ  第一の加算手段
６  アナログ受信部
６ａ  マルチパス信号検出手段
７  デジタル受信部
８、１４、１９  第一の移相信号発生手段
９、９ａ、９ｂ  第二ミキサ
１０、１０ａ、１０ｂ  ＯＦＤＭ復調手段
１１  誤り訂正手段
１２、１５、２０  位相制御手段
１３  第二の加算手段
１６  第二の移相信号発生手段
１７  第二の移相手段
１８  第三の加算手段
【図１】
2004208071.tif 000003
【図２】
2004208071.tif 000004
【図３】
2004208071.tif 000005
【図４】
2004208071.tif 000006
【図５】
2004208071.tif 000007
【図６】
2004208071.tif 000008
【図７】
2004208071.tif 000009
【図８】
2004208071.tif 000010